(57)【要約】【課題】吸引用タンクに供給する冷却水の量を削減すること。【解決手段】ドレン回収装置１は、蒸気使用機器１００で蒸気の凝縮により発生したドレンが流入する回収管１０と、回収管１０の途中に設けられるスチームトラップ１５と、回収管１０に接続され、スチームトラップ１５から排出されたドレンが流入する回収用タンク２０と、吸引用タンク３１、吸引用タンク３１との間でドレンが循環すると共に、吸引部３４ａが回収用タンク２０に連通しており回収用タンク２０の再蒸発蒸気を吸引することによってスチームトラップ１５の下流側を減圧しスチームトラップ１５からドレンを排出させるエゼクタ３４を有する真空発生ユニット３０と、吸引用タンク３１のドレン温度が回収用タンク２０のドレン温度よりも低い所定値となるように冷却水を吸引用タンク３１に供給する水供給部とを備える。【選択図】図１
2020128845.tif 000002
【特許請求の範囲】
【請求項１】
蒸気使用機器に接続され、該蒸気使用機器で蒸気の凝縮により発生したドレンが流入する回収管と、
前記回収管の途中に設けられるスチームトラップと、
前記回収管に接続され、前記スチームトラップから排出されたドレンが流入する第１ドレンタンクと、
第２ドレンタンクと、該第２ドレンタンクとの間でドレンが循環すると共に、吸引部が前記第１ドレンタンクに連通しており該第１ドレンタンクの再蒸発蒸気を吸引することによって前記スチームトラップの下流側を減圧し該スチームトラップからドレンを排出させるエゼクタとを有する吸引機構と、
前記第２ドレンタンクのドレン温度が前記第１ドレンタンクのドレン温度よりも低い所定値となるように冷却水を前記第２ドレンタンクに供給する水供給部とを備えている
ことを特徴とするドレン回収装置。
【請求項２】
請求項１に記載のドレン回収装置において、
前記第１ドレンタンクのドレンを利用側へ供給する液体圧送装置を備えている
ことを特徴とするドレン回収装置。
【請求項３】
請求項２に記載のドレン回収装置において、
前記第１ドレンタンクと前記第２ドレンタンクとに接続され、該第２ドレンタンクにおける所定のドレン水位を超えたドレンが前記第１ドレンタンクに流れるオーバーフロー管を備えている
ことを特徴とするドレン回収装置。
【請求項４】
請求項３に記載のドレン回収装置において、
前記オーバーフロー管には、スチームトラップが設けられている
ことを特徴とするドレン回収装置。
【請求項５】
請求項２に記載のドレン回収装置において、
前記液体圧送装置は、前記第１ドレンタンクに連通し該第１ドレンタンクのドレンが流入する流入口と、ドレンの排出口と、作動気体の導入口とが設けられ、内部にドレンの貯留空間が形成されたケーシングを有し、前記導入口から前記貯留空間に作動気体を導入し該作動気体の圧力によって前記貯留空間のドレンを前記排出口から排出するように構成されている
ことを特徴とするドレン回収装置。
【発明の詳細な説明】
【技術分野】
【０００１】
本願は、ドレン回収装置に関する。
【背景技術】
【０００２】
例えば特許文献１に開示されているように、蒸気使用機器において蒸気の凝縮により発生したドレン（復水）を回収するドレン回収装置が知られている。このドレン回収装置は、蒸気使用機器に回収管を介して接続される吸引機構と、回収管の途中に設けられるスチームトラップとを備えている。蒸気使用機器で発生したドレンは、スチームトラップに流入する。吸引機構は、ドレンタンクと、回収管に接続されたエゼクタとの間でドレンを循環させることにより、エゼクタに吸引力を発生させ、スチームトラップの下流側の圧力を減圧させる。そのため、スチームトラップに流入したドレンは、上下流の圧力差によって下流側に排出されドレンタンクに吸引回収される。
【先行技術文献】
【特許文献】
【０００３】
【特許文献１】特開２０１６−０３８１７６号公報
【発明の概要】
【発明が解決しようとする課題】
【０００４】
ところで、上述したようなドレン回収装置の吸引機構では、スチームトラップにおいてドレンを排出させるのに必要な圧力差を発生させるために、ドレンタンクのドレン温度（即ち、エゼクタを循環するドレンの温度）は所定値以下にする必要がある。一方、蒸気使用機器からドレンタンクに回収されるドレンの温度は上記の所定値よりも高いため、ドレンタンクのドレン温度が高くなってしまう。そこで、冷却水をドレンタンクに供給することにより、ドレンタンクのドレン温度を所定値以下に維持するようにしている。しかしながら、この冷却水の供給量を削減したいという要望があった。
【０００５】
本願に開示の技術は、かかる事情に鑑みてなされたものであり、その目的は、吸引機構のドレンタンクに供給する冷却水の量を削減することにある。
【課題を解決するための手段】
【０００６】
本願のドレン回収装置は、回収管と、スチームトラップと、第１ドレンタンクと、吸引機構と、水供給部とを備えている。前記回収管は、蒸気使用機器に接続され、該蒸気使用機器で蒸気の凝縮により発生したドレンが流入する。前記スチームトラップは、前記回収管の途中に設けられている。前記第１ドレンタンクは、前記回収管に接続され、前記スチームトラップから排出されたドレンが流入する。前記吸引機構は、第２ドレンタンクと、エゼクタとを有している。前記エゼクタは、前記第２ドレンタンクとの間でドレンが循環すると共に、吸引部が前記第１ドレンタンクに連通しており該第１ドレンタンクの再蒸発蒸気を吸引することによって前記スチームトラップの下流側を減圧し該スチームトラップからドレンを排出させるものである。前記水供給部は、前記第２ドレンタンクのドレン温度が前記第１ドレンタンクのドレン温度よりも低い所定値となるように冷却水を前記第２ドレンタンクに供給するものである。
【発明の効果】
【０００７】
本願のドレン回収装置によれば、吸引機構のドレンタンク（第２ドレンタンク）に供給する冷却水の量を削減することができる。
【図面の簡単な説明】
【０００８】
【図１】図１は、実施形態に係るドレン回収装置の概略構成を示す配管系統図である。
【図２】図２は、実施形態に係る回収用ポンプの概略構成を示す断面図である。
【図３】図３は、実施形態に係る回収用ポンプの要部を示す断面図である。
【発明を実施するための形態】
【０００９】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１０】
本実施形態のドレン回収装置１は、蒸気使用機器１００で発生したドレンを回収すると共に、回収したドレンを利用側に供給するものである。図１に示すように、ドレン回収装置１は、回収管１０と、スチームトラップ１５と、回収用タンク２０（第１ドレンタンク）と、真空発生ユニット３０（吸引機構）と、水供給部と、回収用ポンプ５０（液体圧送装置）とを備えている。
【００１１】
本実施形態では、複数の蒸気使用機器１００に対して設けられるドレン回収装置１について説明する。蒸気使用機器１００には、蒸気供給管（図示省略）が接続されており、例えばボイラーで生成された蒸気が蒸気供給管から供給される。蒸気使用機器１００では、供給された蒸気が対象物に放熱して凝縮し、対象物が加熱される。蒸気は、凝縮することによってドレン（復水）になる。つまり、蒸気使用機器１００では蒸気の凝縮潜熱によって対象物が加熱される。
【００１２】
回収管１０は、蒸気使用機器１００に接続され、蒸気使用機器１００で蒸気の凝縮により発生したドレンが流入する管である。具体的に、回収管１０は、複数の流出管１１と、１つの集合管１２とを有している。複数の流出管１１は、それぞれ、一端（流入端）が蒸気使用機器１００に接続され、他端（流出端）が集合管１２に接続されている。集合管１２は、流出端が回収用タンク２０に接続されている。回収管１０は、各蒸気使用機器１００で発生したドレンが流出管１１に流入し、集合管１２で集合する。
【００１３】
スチームトラップ１５は、回収管１０の途中に設けられている。スチームトラップ１５は、各流出管１１に設けられている。スチームトラップ１５は、その上下流の圧力差（上流側の圧力と下流側の圧力との差）によって、流入したドレンのみを下流側へ自動的に排出するものである。なお、実際、スチームトラップ１５には蒸気混じりのドレンが流入する。
【００１４】
回収用タンク２０は、回収管１０に接続され、スチームトラップ１５から排出されたドレンが流入する密閉容器である。回収用タンク２０は、その頂部に集合管１２（回収管１０）の流出端が接続されており、集合管１２からドレンが流入して一時的に貯留される。回収用タンク２０では、下側の液層部２１と上側の気層部２２とに区分される。液層部２１はドレンが貯留されている部分であり、気層部２２は液層部２１のドレンの一部が再蒸発したフラッシュ蒸気（再蒸発蒸気）が存在している部分である。
【００１５】
回収用ポンプ５０は、回収用タンク２０のドレンを利用側（例えば、ボイラー設備）へ供給する機械式の液体圧送装置である。ドレン回収装置１は、それぞれ、回収用ポンプ５０に接続される流入管２３、圧送管２４、給気管２５および排気管２６を有している。
【００１６】
流入管２３は、流入端が回収用タンク２０の底部に接続され、流出端が回収用ポンプ５０に接続されている。つまり、流入管２３は回収用タンク２０の液層部２１に連通している。圧送管２４は、流入端が回収用ポンプ５０に接続され、流出端が利用側に接続されている。給気管２５は、流入端が例えば上述した蒸気供給管に接続され、流出端が回収用ポンプ５０に接続されている。排気管２６は、流入端が回収用ポンプ５０に接続され、流出端が回収用タンク２０の頂部に接続されている。つまり、排気管２６は回収用タンク２０の気層部２２に連通している。
【００１７】
なお、流入管２３および圧送管２４には、逆止弁２７，２８が設けられている。逆止弁２７は回収用タンク２０から回収用ポンプ５０へ向かうドレンの流れのみを許容し、逆止弁２８は回収用ポンプ５０から利用側へ向かうドレンの流れのみを許容する。
【００１８】
回収用ポンプ５０は、回収用タンク２０のドレンが流入管２３を通じて流入し、その流入したドレンを圧送管２４を通じて利用側へ圧送する。また、回収用ポンプ５０は、高圧の蒸気が給気管２５を通じて流入する一方、蒸気が排気管２６を通じて回収用タンク２０に排出される。回収用ポンプ５０の詳細な構成については後述する。
【００１９】
真空発生ユニット３０は、吸引作用によってスチームトラップ１５の上下流で所定の圧力差を生じさせることにより、スチームトラップ１５からドレンを排出させて回収用タンク２０に流入させるものである。真空発生ユニット３０は、吸引用タンク３１（第２ドレンタンク）と、循環配管３２と、吸引用ポンプ３３と、エゼクタ３４とを有している。
【００２０】
吸引用タンク３１は、密閉容器であり、循環配管３２が接続されている。つまり、循環配管３２は、一端（上流端）が吸引用タンク３１の下部に接続され、他端（下流端）が吸引用タンク３１の頂部に接続されている。循環配管３２には、上流端側から順に、吸引用ポンプ３３およびエゼクタ３４が設けられている。即ち、循環配管３２は吸引用タンク３１とエゼクタ３４との間に接続されている。吸引用ポンプ３３は電動式の液体圧送装置である。
【００２１】
エゼクタ３４は、吸引用タンク３１との間でドレンが循環すると共に、吸引部３４ａが回収用タンク２０に連通しており回収用タンク２０のフラッシュ蒸気（再蒸発蒸気）を吸引することによってスチームトラップ１５の下流側を減圧しスチームトラップ１５からドレンを排出させるように構成されている。
【００２２】
具体的に、ドレン回収装置１は、エゼクタ３４の吸引部３４ａと回収用タンク２０とに接続された吸引管４１を有している。吸引管４１は、流入端が回収用タンク２０の頂部に接続され、流出端が吸引部３４ａに接続されている。つまり、吸引部３４ａは、吸引管４１を介して回収用タンク２０の気層部２２に連通している。さらに言えば、吸引部３４ａは、吸引管４１および回収用タンク２０を介してスチームトラップ１５の下流側と連通している。
【００２３】
真空発生ユニット３０では、吸引用ポンプ３３によって吸引用タンク３１のドレン（水）が循環配管３２を通じて循環する。真空発生ユニット３０は、吸引用タンク３１のドレンがエゼクタ３４の流入口から流入して流出口から流出することにより、即ち吸引用タンク３１のドレンがエゼクタ３４を通過することにより、エゼクタ３４の吸引部３４ａにおいて吸引作用（真空圧）が生じる。こうして、吸引用タンク３１とエゼクタ３４との間でドレンが循環することにより、エゼクタ３４の吸引作用が発生する。
【００２４】
真空発生ユニット３０は、エゼクタ３４の吸引作用によって、回収用タンク２０のフラッシュ蒸気が、吸引管４１を介して吸引部３４ａに吸引され吸引用タンク３１に流入する。そして、回収用タンク２０のフラッシュ蒸気が吸引部３４ａに吸引されることによって、スチームトラップ１５の下流側（回収用タンク２０も含む）の圧力が減圧されてスチームトラップ１５からドレンが排出されると共に、スチームトラップ１５から排出されたドレンが回収用タンク２０に回収される。
【００２５】
つまり、真空発生ユニット３０は、スチームトラップ１５においてドレンの排出に必要な上下流の圧力差を生じさせるために、回収用タンク２０のフラッシュ蒸気を吸引し、スチームトラップ１５の下流側を所定の真空減圧状態にする。
【００２６】
水供給部は、吸引用タンク３１のドレン温度が回収用タンク２０のドレン温度よりも低い所定値となるように、冷却水を吸引用タンク３１に供給するものである。
【００２７】
上記の「回収用タンク２０のドレン温度よりも低い所定値」とは、スチームトラップ１５の下流側を所定の真空減圧状態にするために必要な吸引部３４ａの吸引作用（真空圧）を発生させる温度である。エゼクタ３４の吸引部３４ａでは通過するドレンの温度に相当する飽和圧力（温度相当飽和圧力）が発生するところ、その飽和圧力が所定の真空圧となるように吸引用タンク３１のドレン温度が水供給部によって調整される。
【００２８】
具体的に、水供給部は、水供給管３５と、流量調整弁３６と、温度センサ３７とを有している。水供給管３５は、吸引用タンク３１に接続されており、冷却水が吸引用タンク３１に供給される。温度センサ３７は、吸引用タンク３１のドレン温度を検出する。流量調整弁３６は、水供給管３５に設けられており、温度センサ３７の検出温度が上記の所定値となるように冷却水の流量を調整する。
【００２９】
また、ドレン回収装置１は、回収用タンク２０と吸引用タンク３１とに接続されたオーバーフロー管４２を備えている。
【００３０】
オーバーフロー管４２は、流入端が吸引用タンク３１に接続され、流出端が回収用タンク２０に接続されている。オーバーフロー管４２の流出端は、回収用タンク２０の気層部２２に開口している。オーバーフロー管４２は、吸引用タンク３１における所定のドレン水位を超えたドレンが回収用タンク２０に流れるものである。
【００３１】
オーバーフロー管４２には、吸引用タンク３１側から順に、スチームトラップ４３および逆止弁４４が設けられている。スチームトラップ４３は、その上下流の圧力差によって、流入したドレンのみを下流側（回収用タンク２０側）へ自動的に排出する。逆止弁４４は、吸引用タンク３１から回収用タンク２０へ向かうドレンの流れのみを許容する。
【００３２】
図２に示すように、回収用ポンプ５０は、密閉容器であるケーシング５１と、給気弁６０および排気弁７０と、弁作動機構８０とを備えている。
【００３３】
ケーシング５１は、本体部５２と蓋部５３とがボルトによって結合され、内部にドレンの貯留空間５４が形成されている。蓋部５３には、ドレンの流入口５５および排出口５６と、作動気体である蒸気の導入口５７および排気口５８とが設けられている。流入口５５および排出口５６には流入管２３および圧送管２４が接続され、導入口５７および排気口５８には給気管２５および排気管２６が接続されている。
【００３４】
図３にも示すように、給気弁６０および排気弁７０は、それぞれ導入口５７および排気口５８を開閉する。給気弁６０および排気弁７０は、弁ケース６１，７１、弁体６２，７２および昇降棒６３，７３を有する。弁ケース６１，７１には、弁座６４，７４と開口６５，７５が形成されている。昇降棒６３，７３は、弁ケース６１，７１に挿入されており、弁体６２，７２が一体的に設けられている。
【００３５】
給気弁６０は、昇降棒６３が上昇すると弁体６２が弁座６４から離座して導入口５７を開放し、昇降棒６３が下降すると弁体６２が弁座６４に着座して導入口５７を閉鎖する。排気弁７０は、昇降棒７３が上昇すると弁体７２が弁座７４に着座して排気口５８を閉鎖し、昇降棒７３が下降すると弁体７２が弁座７４から離座して排気口５８を開放する。昇降棒７３の下端には弁操作棒７６が連結され、弁操作棒７６には連設板７７が取り付けられている。昇降棒６３は、弁操作棒７６が上昇すると連設板７７によって押し上げられて上昇し、弁操作棒７６が下降すると自重で下降する。
【００３６】
弁作動機構８０は、ケーシング５１内に設けられ、弁操作棒７６を上下動させて給気弁６０および排気弁７０を動作させる。弁作動機構８０は、フロート８１およびスナップ機構９０を有する。
【００３７】
フロート８１には、ブラケット８４における軸８３に回転可能に支持されたレバー８２が取り付けられている。スナップ機構９０は、フロートアーム９１、副アーム９２、コイルバネ９３、受け部材９４ａ，９４ｂを有する。フロートアーム９１は、一端部がブラケット９７における軸９６に回転可能に支持され、他端部の溝９１ａにレバー８２の軸８５が嵌っている。副アーム９２は、上端部が軸９６に回転可能に支持されている。受け部材９４ａはフロートアーム９１の軸９５ａに回転可能に支持され、受け部材９４ｂは副アーム９２の軸９５ｂに回転可能に支持されている。受け部材９４ａ，９４ｂの間にはコイルバネ９３が設けられ、副アーム９２の軸９８には弁操作棒７６が連結されている。
【００３８】
回収用ポンプ５０は、導入口５７から貯留空間５４に蒸気を導入し該蒸気の圧力によって貯留空間５４のドレンを排出口５６から排出するように構成されている。詳しくは、回収用ポンプ５０では、ドレンが貯留空間５４に溜まっていない場合、フロート８１は貯留空間５４の底部に位置する。この状態において、弁操作棒７６は下降しており、給気弁６０は閉じられ排気弁７０は開いている。そして、ドレンが流入口５５から流入し貯留空間５４に溜まっていくに従って、フロート８１が浮上する。なお、貯留空間５４ではドレンが溜まっていくにつれて蒸気が排気口５８から排出される。そして、貯留空間５４におけるドレンの水位が所定高水位に達すると、スナップ機構９０によって弁操作棒７６が上昇する。これにより、給気弁６０が開き排気弁７０が閉じる。
【００３９】
給気弁６０が開くと、蒸気（高圧蒸気）が導入口５７から流入して貯留空間５４の上部（ドレンの上方空間）に導入される。そうすると、貯留空間５４に溜まっているドレンは、導入された蒸気の圧力によって下方へ押されて排出口５６から排出される。ドレンの排出によって貯留空間５４のドレン水位が低下すると、フロート８１が下降する。そして、貯留空間５４におけるドレン水位が所定低水位に達すると、スナップ機構９０によって弁操作棒７６が下降する。これにより、給気弁６０が閉じ排気弁７０が開く。
【００４０】
〈運転動作〉
上述したドレン回収装置１では、蒸気使用機器１００で発生したドレンが流出管１１（回収管１０）を介してスチームトラップ１５に流入する。また、真空発生ユニット３０では、吸引用ポンプ３３が駆動されることにより、吸引用タンク３１のドレンが循環配管３２を通じて循環し、エゼクタ３４の吸引部３４ａで吸引作用が生じる。そうすると、回収用タンク２０のフラッシュ蒸気が吸引管４１を介して吸引部３４ａに吸引される。
【００４１】
回収用タンク２０のフラッシュ蒸気が吸引部３４ａに吸引されることにより、スチームトラップ１５の下流側が減圧され、スチームトラップ１５の上下流で所定の圧力差が生じる。この圧力差によって、スチームトラップ１５からドレンが下流側へ排出される。排出されたドレンは、エゼクタ３４の吸引作用により、集合管１２（回収管１０）を介して回収用タンク２０に流入し貯留される。
【００４２】
回収用タンク２０では、流入したドレンの一部が再蒸発する。この再蒸発したフラッシュ蒸気は、上述したように吸引部３４ａに吸引される。回収用タンク２０に貯留されているドレンは、回収用ポンプ５０によって利用側へ供給される。こうして、蒸気使用機器１００で発生したドレンが回収用タンク２０に回収されて利用側へ供給される。
【００４３】
一方、吸引部３４ａに吸引されたフラッシュ蒸気は、循環配管３２を通じて吸引用タンク３１に流入し、凝縮してドレンとなる。回収用タンク２０のドレンおよびフラッシュ蒸気は、吸引用タンク３１のドレン温度よりも高い高温流体である。そのため、回収用タンク２０のフラッシュ蒸気が吸引用タンク３１に流入することにより、吸引用タンク３１の温度は上昇する。
【００４４】
そうすると、吸引用タンク３１のドレン温度が所定値まで低下するように、水供給管３５から冷却水が吸引用タンク３１に供給される。こうして、吸引用タンク３１のドレン温度が所定値に維持される。
【００４５】
ここで、吸引用タンク３１においてフラッシュ蒸気が流入することによるドレン温度の上昇度について、ドレンが流入する従来の形態と比較して説明する。
【００４６】
吸引用タンク３１に流入する体積流量（即ち、吸引部３４ａに吸引される単位時間当たりの体積）は、フラッシュ蒸気とドレンと（以下、両者という。）で同じである。ドレンの密度は、フラッシュ蒸気の密度よりも遥かに（数百倍）大きい。そのため、吸引用タンク３１に流入する質量流量（密度×体積流量）は、フラッシュ蒸気よりもドレンが遥かに高い。一方、フラッシュ蒸気のエンタルピー（潜熱）は、ドレンのエンタルピー（顕熱）よりも少しだけ（数倍）高い。
【００４７】
以上のことから、吸引用タンク３１に流入する単位時間当たりの熱量（エンタルピー×質量流量）としては、ドレンよりもフラッシュ蒸気が低い。そのため、フラッシュ蒸気が吸引用タンク３１に流入する本実施形態では、ドレンが流入する従来の形態に比べて、吸引用タンク３１におけるドレン温度の上昇度が抑えられる。したがって、水供給管３５から供給される冷却水の量が削減される。
【００４８】
吸引用タンク３１では、フラッシュ蒸気および冷却水が流入するため、ドレン水位が次第に上昇する。そして、ドレンが、所定のドレン水位を超えると、オーバーフロー管４２を通じて回収用タンク２０に流れる。
【００４９】
回収用タンク２０内は、スチームトラップ１５の下流側と同様、エゼクタ３４の吸引作用によって真空減圧状態となっている。そのため、オーバーフロー管４２におけるスチームトラップ４３の上下流で圧力差が生じ、確実にスチームトラップ４３からドレンが排出されて回収用タンク２０に流れる。
【００５０】
以上のように、上記実施形態のドレン回収装置１によれば、回収管１０に接続され、スチームトラップ１５から排出されたドレンが流入する回収用タンク２０（第１ドレンタンク）を備えている。そして、ドレン回収装置１は、吸引用タンク３１（第２ドレンタンク）と、吸引用タンク３１との間でドレンが循環すると共に、吸引部３４ａが回収用タンク２０に連通しており回収用タンク２０の再蒸発蒸気を吸引することによってスチームトラップ１５の下流側を減圧しスチームトラップ１５からドレンを排出させるエゼクタ３４とを有する真空発生ユニット３０（吸引機構）と、吸引用タンク３１のドレン温度が回収用タンク２０のドレン温度よりも低い所定値となるように冷却水を吸引用タンク３１に供給する水供給管３５（水供給部）とを備えている。
【００５１】
上記の構成によれば、真空発生ユニット３０の吸引用タンク３１にはフラッシュ蒸気が流入するので、従来のようにドレンが流入する場合に比べて、吸引用タンク３１におけるドレン温度の上昇を抑制することができる。そのため、吸引用タンク３１に供給する冷却水の量を削減することができる。
【００５２】
また、上記実施形態のドレン回収装置１は、回収用タンク２０のドレンを利用側へ供給する回収用ポンプ５０（液体圧送装置）を備えている。この構成によれば、従来よりも高温のドレンを利用側へ供給することができる。つまり、従来では真空発生ユニットにおいて冷却水で冷却された低温のドレンが供給されていたが、上記実施形態では冷却される前の高温のドレンを供給することができる。
【００５３】
また、上記実施形態のドレン回収装置１は、回収用タンク２０と吸引用タンク３１とに接続され、吸引用タンク３１における所定のドレン水位を超えたドレンが回収用タンク２０に流れるオーバーフロー管４２を備えている。この構成によれば、真空発生ユニット３０ユニットのドレンを無駄にすることなく利用側へ供給することができる。
【００５４】
また、オーバーフロー管４２には、スチームトラップ４３が設けられている。そのため、吸引用タンク３１からドレンのみを回収用タンク２０に流すことができる。
【００５５】
また、上記実施形態のドレン回収装置１によれば、回収用ポンプ５０は、回収用タンク２０に連通し回収用タンク２０のドレンが流入する流入口５５と、ドレンの排出口５６と、蒸気（作動気体）の導入口５７とが設けられ、内部にドレンの貯留空間５４が形成されたケーシング５１を有している。そして、回収用ポンプ５０は、導入口５７から貯留空間５４に蒸気を導入し該蒸気の圧力によって貯留空間５４のドレンを排出口５６から排出するように構成されている。
【００５６】
上記の構成によれば、蒸気の圧力（圧力エネルギー）を動力源としてドレンの排出動作を行うので、電力（電気エネルギー）を使わずに、回収したドレンを利用側へ供給することができる。よって、ドレン回収装置１の消費電力を削減することができる。
【００５７】
なお、上記実施形態のドレン回収装置１において、オーバーフロー管４２を省略するようにしてもよい。その場合、吸引用タンク３１において所定のドレン水位を超えたドレンは例えば外部に廃棄される。
【００５８】
また、上記実施形態のドレン回収装置１において、吸引用タンク３１のドレンを吸引用ポンプ３３によって利用側へ供給するようにしてもよい。
【産業上の利用可能性】
【００５９】
本願に開示の技術は、ドレン回収装置について有用である。
【符号の説明】
【００６０】
１        ドレン回収装置
１０      回収管
１５      スチームトラップ
２０      回収用タンク（第１ドレンタンク）
３０      真空発生ユニット（吸引機構）
３１      吸引用タンク（第２ドレンタンク）
３４      エゼクタ
３４ａ    吸引部
３５      水供給管（水供給部）
４２      オーバーフロー管
４３      スチームトラップ
５０      回収用ポンプ（液体圧送装置）
５１      ケーシング
５４      貯留空間
５５      流入口
５６      排出口
５７      導入口
１００    蒸気使用機器
【図１】
2020128845.tif 000003
【図２】
2020128845.tif 000004
【図３】
2020128845.tif 000005